【手続補正書】
【提出日】平成24年5月14日(2012.5.14)
【手続補正１】
【補正対象書類名】特許請求の範囲
【補正対象項目名】全文
【補正方法】変更
【補正の内容】
【特許請求の範囲】
【請求項１】
冷却システムにおいて、
水蒸気を含有する空気を含む半密閉型空気冷却チャンバと、
前記半密閉空気冷却式チャンバから前記空気を引き出し、前記空気を前記半密閉型空気冷却チャンバに戻すように、半密閉型空気冷却チャンバに流体接続される空気循環冷却ループとを備えており、前記空気循環冷却ループが、
前記空気を冷却して前記水蒸気から氷の粒子を生成するように、前記半密閉型空気冷却チャンバから引き出された前記空気を圧縮し、前記空気から熱を除去し、前記空気を膨張させるための装置と、
前記装置により冷却された前記氷の粒子を前記空気から除去するために、前記装置の下流に配置される正圧型サイクロン分離器とを含んでおり、前記正圧型サイクロン分離器が、
截頭円錐形部分を有する側壁を含むサイクロン容器であって、当該サイクロン容器が截頭円錐形の分離チャンバを画定し、当該分離チャンバが、長手方向の中心軸及び開放された中央分離領域を有し、当該開放された中央分離領域が、前記中心軸を直接囲み、かつ前記中心軸に沿って延びる、サイクロン容器と、
前記截頭円錐形部分で前記側壁と向かい合うスクレーパであって、当該スクレーパは、前記開放された中央分離領域から半径方向外側に位置するように構成され、前記冷却ループの動作中、前記截頭円錐形部分から氷の粒子の付着物を掻き取るように、前記スクレーパは前記側壁に対して移動できる、スクレーパと、
該スクレーパを支持するスクレーパ支持システムであって、該スクレーパ支持システムの何れもが、前記サイクロン容器の前記長手方向に沿って配置されておらず、且つ該スクレーパ支持システムの何れもが、前記サイクロン容器の前記開放された中央分離領域内に配置されていない前記スクレーパ支持システムと、
を備える、冷却システム。
【請求項２】
請求項１に記載の冷却システムにおいて、
前記装置が、前記冷却システムに隣接して上流に配置される高速の膨張ステージを含む、冷却システム。
【請求項３】
請求項２に記載の冷却システムにおいて、
前記高速の膨張ステージが、前記空気循環冷却ループの動作中、１０ミクロン〜１００ミクロンの範囲内の氷の粒子を生成し、前記正圧型サイクロン分離器が、前記空気循環冷却ループの動作中、前記氷の粒子の少なくとも一部を除去するように構成される、冷却システム。
【請求項４】
請求項１に記載の冷却システムにおいて、
前記正圧型サイクロン分離器が下側端部を有し、前記下側端部に近接して配置されたヒータをさらに備える、冷却システム。
【請求項５】
請求項１に記載の冷却システムにおいて、
前記空気から熱を除去するように、前記空気循環冷却ループに接続された１つまたは複数の中間冷却器をさらに備える、冷却システム。
【請求項６】
請求項５に記載の冷却システムにおいて、
前記半密閉型空気冷却チャンバから直接受け入れられる空気を圧縮するために、ブースト圧縮器をさらに備える、冷却システム。
【請求項７】
請求項６に記載の冷却システムにおいて、
前記装置が圧縮ステージおよび膨張ステージを含み、第１の中間冷却器が前記ブースト圧縮器と前記圧縮ステージの間に配置され、第２の中間冷却器が前記圧縮ステージと前記膨張ステージの間に配置される、冷却システム。
【請求項８】
請求項７に記載の冷却システムにおいて、
前記冷却システムは回収熱交換器をさらに備え、当該回収熱交換器は、前記圧縮ステージと前記膨張ステージの間に配置された前記空気循環冷却ループの第１の部分から、前記ブースト圧縮器の上流に配置された前記空気循環冷却ループの第２の部分へ熱を移動させるように構成された、冷却システム。
【請求項９】
請求項１に記載の冷却システムにおいて、前記側壁が、前記截頭円錐形部分の上に配置され、かつ前記截頭円錐形部分に結合された円筒形部分をさらに含み、前記スクレーパが、前記截頭円錐形部分および前記円筒形部分のそれぞれに沿って延びる、冷却システム。
【請求項１０】
請求項９に記載の冷却システムにおいて、
前記スクレーパが、前記スクレーパの動作中に掻き取り作用をもたらすように、前記側壁と共形的に向かい合う複数の螺旋状羽根部材を含む、冷却システム。
【請求項１１】
請求項９に記載の冷却システムにおいて、
前記正圧型サイクロンがある高さを有し、前記スクレーパが、前記截頭円錐形部分および前記円筒形部分のそれぞれにおいて、前記高さおよび前記側壁に沿って延びる長手方向の軸を有する少なくとも１つのスクレーパ刃を含む、冷却システム。
【請求項１２】
請求項９に記載の冷却システムにおいて、
前記支持システムは、前記長手方向中心軸に沿って間隔を置いて配置され、且つ前記側壁に共形的に向かい合う一対の支持リングを含み、前記スクレーパは前記一対の支持リングの間を伸びる、冷却システム。
【請求項１３】
請求項１２に記載の冷却システムにおいて、
前記一対の支持リングのうち少なくとも一つの支持リングに駆動的に係合されたスクレーパ駆動機構をさらに備える、冷却システム。
【請求項１４】
請求項１３に記載の冷却システムにおいて、
前記スクレ-パは、前記サイクロン容器の側壁に向かい合う複数の螺旋状羽根部材を備え、
前記スクレーパ駆動機構は、粒子が前記側壁上に付着形成され且つ前記長手方向中心軸が垂直方向へ向けられたとき、前記スクレーパを前記長手方向中心軸の周りに所定方向へ回転させて、前記粒子を下方へ押すような構成になっている、冷却システム。
【請求項１５】
請求項９に記載の冷却システムにおいて、
前記截頭円錐形部分は出口方向へテーパを付けられており、冷却システムは更に融解チャンバを備え、前記長手方向中心軸が垂直方向へ向けられたとき、前記融解チャンバは、前記サイクロン容器の下方に配置され、且つ前記出口を介して該サイクロン容器に流体的に連通する、冷却システム。
【請求項１６】
請求項１に記載の冷却システムにおいて、
前記支持システムは、前記長手方向中心軸に沿って間隔を置いて配置され、且つ前記側壁に共形的に向かい合う一対の支持リングを含み、前記スクレーパは前記一対の支持リングの間を伸びる、冷却システム。
【請求項１７】
請求項１６に記載の冷却システムにおいて、
前記一対の支持リングのうちの少なくとも一つの支持リングに、前記サイクロン容器の側壁を介して駆動的に係合されたスクレーパ駆動機構をさらに備える、冷却システム。
【請求項１８】
請求項１７に記載の冷却システムにおいて、
前記スクレーパが、前記サイクロン容器の前記側壁と共形的に向かい合う複数の螺旋状羽根部材を含み、前記スクレーパ駆動機構は、粒子が前記側壁上に付着形成され且つ前記長手方向中心軸が垂直方向へ向けられたとき、前記スクレーパを前記長手方向中心軸の周りに所定方向へ回転させて、前記粒子を下方へ押すような構成になっている、冷却システム。
【請求項１９】
請求項１に記載の冷却システムにおいて、
半密閉型空気冷却チャンバを更に備え、前記半密閉型空気冷却チャンバが、人が立って出入りできる大きさのタイプのものである、冷却システム。
【請求項２０】
請求項１に記載の冷却システムにおいて、
前記サイクロン容器に接続され、且つ前記サイクロン容器内で前記スクレーパを移動させる、スクレーパ駆動機構をさらに備える、冷却システム。
【請求項２１】
本質的に水からなる複数の微粒子を含有する空気と共に使用するための正圧型サイクロン分離器において、
上側端部、下側端部及び截頭円錐形部分を含むサイクロン容器であって、当該截頭円錐形部分が截頭円錐形の分離チャンバを画定し、当該分離チャンバが、長手方向の中心軸、及び開放された中央分離領域を有し、当該開放された中央分離領域が、前記中心軸を直接囲み、かつ前記中心軸に沿って延びる、前記サイクロン容器と、
前記截頭円錐形部分で前記側壁と向かい合うスクレーパであって、当該スクレーパは、前記開放された中央分離領域から半径方向外側に位置するように構成され、前記正圧型サイクロン分離器の動作中、前記截頭円錐形部分から氷の粒子の付着物を掻き取るように、前記スクレーパは前記側壁に対して移動できる、スクレーパと、
該スクレーパを支持するスクレーパ支持システムであって、該スクレーパ支持システムの何れもが、前記サイクロン容器の前記長手方向に沿って配置されておらず、且つ該スクレーパ支持システムの何れもが、前記サイクロン容器の前記開放された中央分離領域内に配置されていない前記スクレーパ支持システムと、
前記サイクロン容器に前記空気を供給して、前記開放された中央分離領域の中にサイクロン流を生じさせるように配置および方向付けされる入口と、
使用中、前記スクレーパによって前記側壁から掻き取られた前記付着物からの氷を受け入れるための、前記側壁の前記下側端部にある出口とを備える、正圧型サイクロン分離器。
【請求項２２】
請求項２１に記載の正圧型サイクロン分離器において、
前記出口によって受け入れられる前記氷を融解するために、前記出口に近接して配置された融解チャンバをさらに備える、正圧型サイクロン分離器。
【請求項２３】
請求項２２に記載の正圧型サイクロン分離器において、
前記融解チャンバが、前記サイクロン容器から熱的に分離される、正圧型サイクロン分離器。
【請求項２４】
請求項２１に記載の正圧型サイクロン分離器において、
前記サイクロン容器の前記側壁が、前記截頭円錐形部分の上に配置され、かつ前記截頭円錐形部分に結合された円筒形部分をさらに含み、前記スクレーパが、前記截頭円錐形部分および前記円筒形部分のそれぞれに沿って延びる、正圧型サイクロン分離器。
【請求項２５】
請求項２４に記載の正圧型サイクロン分離器において、
前記スクレーパが、前記スクレーパの動作中に掻き取り作用をもたらすように、前記側壁と共形的に向かい合う複数の螺旋状羽根部材を含む、正圧型サイクロン分離器。
【請求項２６】
請求項２４に記載の正圧型サイクロン分離器において、
前記サイクロン容器がある高さを有し、前記スクレーパが、前記截頭円錐形部分および前記円筒形部分のそれぞれにおいて、前記高さおよび前記側壁に沿って延びる長手方向の軸を有する少なくとも１つのスクレーパ刃を含む、正圧型サイクロン分離器。
【請求項２７】
請求項２６に記載の正圧型サイクロン分離器において、
前記サイクロン容器に接続され、且つ前記サイクロン容器内で前記スクレーパを移動させる、スクレーパ駆動機構をさらに備える、正圧型サイクロン分離器。
【請求項２８】
請求項２１に記載の正圧型サイクロン分離器において、
前記サイクロン容器に接続され、且つ前記サイクロン容器内で前記スクレーパを移動させる、スクレーパ駆動機構をさらに備える、正圧型サイクロン分離器。
【請求項２９】
請求項２４に記載の正圧型サイクロン分離器において、
前記支持システムは、前記長手方向中心軸に沿って間隔を置いて配置され、且つ前記側壁に共形的に向かい合う一対の支持リングを含み、前記スクレーパは前記一対の支持リングの間を伸びる、正圧型サイクロン分離器。
【請求項３０】
請求項２９に記載の正圧型サイクロン分離器において、
前記一対の支持リングのうちの少なくとも一つの支持リングに駆動的に係合されたスクレーパ駆動機構をさらに備える、正圧型サイクロン分離器。
【請求項３１】
請求項３０に記載の正圧型サイクロン分離器において、
前記スクレ-パは、前記サイクロン容器の側壁に向かい合う複数の螺旋状羽根部材を備え、
前記スクレーパ駆動機構は、粒子が前記側壁上に付着形成され且つ前記長手方向中心軸が垂直方向へ向けられたとき、前記スクレーパを前記長手方向中心軸の周りに所定方向へ回転させて、前記粒子を下方へ押すような構成になっている、正圧型サイクロン分離器。
【請求項３２】
請求項２４に記載の正圧型サイクロン分離器において、
前記截頭円錐形部分は出口方向へテーパを付けられており、冷却システムは更に融解チャンバを備え、前記長手方向中心軸が垂直方向へ向けられたとき、前記融解チャンバは、前記サイクロン容器の下方に配置され、且つ前記出口を介して該サイクロン容器に流体的に連通する、正圧型サイクロン分離器。
【請求項３３】
請求項２１に記載の正圧型サイクロン分離器において、
前記支持システムは、前記長手方向中心軸に沿って間隔を置いて配置され、且つ前記側壁に共形的に向かい合う一対の支持リングを含み、前記スクレーパは前記一対の支持リングの間を伸びる、正圧型サイクロン分離器。
【請求項３４】
請求項３３に記載の正圧型サイクロン分離器において、
前記一対の支持リングのうちの少なくとも一つの支持リングに、前記サイクロン容器の側壁を介して駆動的に係合されたスクレーパ駆動機構をさらに備える、正圧型サイクロン分離器。
【請求項３５】
請求項３４に記載の正圧型サイクロン分離器において、
前記スクレーパが、前記サイクロン容器の前記側壁と共形的に向かい合う複数の螺旋状羽根部材を含み、前記スクレーパ駆動機構は、粒子が前記側壁上に付着形成され且つ前記長手方向中心軸が垂直方向へ向けられたとき、前記スクレーパを前記長手方向中心軸の周りに所定方向へ回転させて、前記粒子を下方へ押すような構成になっている、正圧型サイクロン分離器。